(57)【要約】【課題】  携帯使用に便利なだけでなく、平面又は他の適当な支持面上で支えられ、照射角度を調節して最適な照明角度を得ることが可能な照明装置を提供する。【解決手段】  放熱カバー２４と、本体１と、本体１の一端に設けられた照明部空間と、本体の内部空間内の電源回路及び電池と、本体１の照明部空間内に配置されると共に電源回路に接続され、電球２８が交換可能に取り付けられるランプホルダー２１を備えた照明部と、本体１との折畳み角度を移動可能に調整する長脚部１２及び長脚部１２との折畳み角度を移動可能に調整する短脚部２３からなる脚部とを備えた照明装置であり、長脚部１２と短脚部２３は本体１を平面上で支え、且つ最適な照明角度に調節することができる。【選択図】      図２
0003116540.tif 000002
【実用新案登録請求の範囲】
【請求項１】
放熱カバーと、
内部空間が形成された本体と、
前記本体の一端に設けられた照明部空間と、
前記本体の内部空間内の電源回路及び電池と、
前記本体の照明部空間内に配置されると共に前記電源回路に接続され、電球が交換可能に取り付けられるランプホルダーを備えた照明部と、
前記本体との折畳み角度を移動可能に調整する長脚部及び前記長脚部との折畳み角度を移動可能に調整する短脚部とを含む前記本体に連接された脚部とを備えたことを特徴とする携帯型照明装置。
【請求項２】
長方形柱状のハンドルを更に備え、ハンドルの両端は本体上に連接されていることを特徴とする請求項１に記載の携帯型照明装置。
【請求項３】
放熱カバー内部空間には少なくとも１つの電球と、放物面状の反射部材と、少なくとも１つの切替スイッチと、少なくとも１つの外部電源用コンセントと、充電指示ランプと、回路と電源とが設けられていることを特徴とする請求項１に記載の携帯型照明装置。
【請求項４】
前記長脚部は回動ヒンジを中心に回動し、270°の円弧内で任意の位置まで動かすことが可能であり、前記短脚部もまた回動ヒンジを中心に回動し、270°の円弧内で任意の位置まで動かすことが可能であることによって、前記脚部が本体を支えていることを特徴とした請求項１に記載の携帯型照明装置。
【請求項５】
脚部に調節可能なロック部材が設けられ、該ロック部材の締めたり緩めたりすることによって、脚部の固定または角度調節が可能であることを特徴とする請求項４に記載の携帯型照明装置。
【請求項６】
中の電球と電池が交換可能であることを特徴とする請求項１に記載の携帯型照明装置。
【請求項７】
放熱カバーは複数の放熱孔を有し、本体内部の熱を外へ排出しやすく、様々な外観の型式が可能で、且つ可動的に前記本体前端に連結されていることを特徴とする請求項１に記載の携帯型照明装置。
【考案の詳細な説明】
【技術分野】
【０００１】
本考案は照明装置に関し、特に強力な光源を備えた携帯型捜索用照明装置に関する。
【背景技術】
【０００２】
現在、市場には各種の携帯型照明装置がある。例えば、日常使用する懐中電灯や捜索救命用の照明装置などがある。これらの照明装置には、一般的に携帯のためのハンドルや取っ手が設けられているか、又は照明装置本体が把持部として用いられている。
【考案の開示】
【考案が解決しようとする課題】
【０００３】
しかし、これらの照明装置を手から放し、他の支持面に置こうとすると、支持が不安定になり、特に照明装置の照射角度を調整することが困難であった。
【０００４】
本考案の目的は、携帯使用に便利なだけでなく、平面又は他の適当な支持面上で支えられ、照射角度を調節して最適な照明角度を得ることが可能な照明装置を提供することである。
【課題を解決するための手段】
【０００５】
上記目的を達成するために、本考案の照明装置は、放熱カバーと、内部空間が形成された本体と、前記本体の一端に設けられた照明部空間と、前記本体の内部空間内の電源回路及び電池と、前記本体の照明部空間内に配置されると共に前記電源回路に接続され、電球が交換可能に取り付けられるランプホルダーを備えた照明部と、前記本体との折畳み角度を移動可能に調整する長脚部及び前記長脚部との折畳み角度を移動可能に調整する短脚部とを含む前記本体に連接された脚部とを備えている。
【０００６】
本考案の照明装置は光源を備え、放熱カバーは可動的に前記本体前端に連結され、複数の放熱孔を有し、本体内部の熱を外へ排出しやすくなっている。放熱カバー内部空間には少なくとも１つの電球と、放物面状の反射部材と、少なくとも１つの切替スイッチと、少なくとも１つの外部電源用コンセントと、充電指示ランプと、回路と電源とが設けられている。
【０００７】
本体は長方形柱状のハンドルを更に備え、ハンドルの両端は本体上に連接されている。ハンドルと本体は水平線をなし、使用者が装置を把持する際の好適な持ち手となる。
【０００８】
脚部は回動ヒンジを中心に回動し、270°の円弧内で任意の位置まで動かすことが可能であって、本体を平面上で支持しながら、最適な照明角度を得ることができる。例えば２つの脚部をそれぞれ90度以上に調節すれば、照明装置を使用者の肩の上に置いて、遠方を照らすことが可能である。２つの脚部を例えば第１位置と第２位置の間で相互に相対移動させ、任意の位置で固定させれば、使用者は適切な照明角度に調節することができる。
【０００９】
本考案の照明装置は、電源として内蔵の充電池を利用することも、自動車のバッテリーや商用電源を直接利用することもできるため、どのような場所や環境でも使用可能である。つまり、本考案の照明装置は単に充電池を備えているか又は商用電源から電流を供給される光源タイプの照明装置のみに限らない。
【００１０】
本考案の携帯に軽便で強力な光源を備えた照明装置は、陸海軍、警察、消防、緊急救助、建築などの場で重要な光源として用いられ、家庭での緊急救助用としても利用可能である。
【考案を実施するための最良の形態】
【００１１】
図１および図２に示すように、本考案の照明装置は通常長方形柱構造の本体１を備え、本体１の前部には放熱カバー２４が可動的に取り付けられ、放熱カバー２４には複数の放熱孔２５が設けられ、内部の熱を本体１外に排出しやすくなっている。放熱カバー２４の内部空間にはランプ２が設けられ、通常放物面状の反射部材３とガラス又は他の透明材料で形成された前板４を備えている。密封リング５を介して前板４の内側で環状帯６の内側にある反射部材３の端面が密封され、環状帯６は放熱カバー２４の前部に取り外し可能に取り付けられている。放熱カバー２４の前部の環状帯６表面にはゴム又は軟質性材料で形成された環状防振キャップ１３が取り付けられ、照明装置が外部の震動に耐え得るようになっている。放熱カバー２４の外観には回転模様の線による装飾があり、言い換えれば放熱カバー２４はいろいろな外観装飾によって本体１の前部に可動的に取り付けられる。
【００１２】
図２に示すように、ランプホルダーを有する照明部が本体内部空間に配置され、電源回路に接続され、ランプ２は電球２８を備え、電球２８はランプホルダー２１に交換可能に取り付けられ、本体１の電源７から電流を供給される。本体１の内部空間はランプ２、反射部材３、前板４、密封リング５、電球２８、ランプホルダー２１を備える。電源７は電源リード線を介して本体１に設けられた内部空間の電源回路８（図９参照）、外部接続用コンセント９（図３参照）、充電指示ランプ２０（図３参照）、切替スイッチ１０（図１参照）に接続され、電球２８に接続されている。ランプには商用電源から電流が直接供給されるか、又は可充電電池から電流が供給される。
【００１３】
図１および図２に示すように、ハンドル１１は長方形柱構造であって（円柱形等の他の構造であってもよい）、本体１と一体的に固定されている。該ハンドル１１の上下両端にはゴム又は軟質性材料で形成された把持部材２２が設けられ、照明装置の使用者がハンドル１１を快適に把持できるようになっている。該ハンドル１１の前後両端には肩ベルト掛け１８が設けられ、使用者は照明装置をベルトで肩から提げることができる。
【００１４】
図１と図３に示すように、長脚部１２は回動可能に本体に取り付けられ、ロック部材１４Ａを介して締めたり緩めたりすることが可能であり、長脚部１２を固定することができ、長脚部１２は回動ヒンジ１４Ａ’（図９参照）を中心に回動し、270°の円弧内で任意の位置まで動かすことが可能である。短脚部２３は回動可能に長脚部１２に取り付けられ、調整ロック部材１４Ｂを介して締めたり緩めたりすることが可能であり、短脚部２３を固定することができ、回動ヒンジ１４Ｂ’（図９参照）を中心に回動し、270°の円弧内で任意の位置まで動かすことが可能である。本実施例中の長脚部１２と短脚部２３はＵ字状構造である。このように、長脚部１２と短脚部２３は本体１を平面上で支持すると共に、照明角度を調節するため、最適な照明角度が得られる。
【００１５】
図１と図２に示すように、本体１の後部には電池蓋１７が可動的に取り付けられ、電池蓋１７の両端にはフランジ１６が設けられ、フランジ１６は金属で形成された留め金１５に可動的に接続され、留め金１５は本体後部の固定部材２６に留めつけられる。固定部材２６のロック止め２７を後ろに押すと、留め金１５が固定部材２６から離れて本体１後部の電池蓋が外れるので、電池蓋１７を本体１から外し、新しい電池と交換することができる。電池蓋１７の表面にはゴム又は軟質性材料で形成された密封キャップ１９が取り付けられているので、照明装置は外部の震動に耐え、壊れたり雨水が進入したりしにくくなる。
【００１６】
本考案の照明装置は下端に角度調整可能な長脚部１２と短脚部２３が設けられているので、作業中、使用者が両手で照明装置を保持することができなくとも、十分な照明を必要とする場合に、該照明装置は卓上や地面などの支持面に安定して支えられ、照明に用いることができる。つまり、図１に示すように、本考案の携帯型照明装置は、懐中電灯として携帯が容易であるうえ、捜索又は多角度の照明の際、非常に使いやすく、警備、消防、軍隊など危険性のある仕事にきわめて有効である。
【００１７】
図４乃至図８に本考案の照明装置を異なる角度から見た図を示し、該照明装置の外観をよりわかりやすくする。
【００１８】
本考案の強力な光源を備えた照明装置は、携帯型で軽便な多用途照明装置で、綿密な計算に基づき先進的手段によって製造された特殊発光体電球と光源体反射鏡とを組み合わせて設計され、1,500,000カンデラに達する強力な光線を照射することができ、照明射程1.5kmをはじめて可能にした。該照明装置は、暗い場所で発生する様々な特殊事件に対し速やかに大きな効果を上げるものである。
【図面の簡単な説明】
【００１９】
【図１】本考案の照明装置の側面図である。
【図２】図１の照明装置の縦断面図である。
【図３】本考案の照明装置の別の側面図である。
【図４】図１の照明装置の底面図である。
【図５】図１の照明装置の正面図である。
【図６】図１の照明装置の背面図である。
【図７】図１の照明装置の平面図である。
【図８】図１の照明装置の背面斜視図である。
【図９】図１の照明装置の組立図である。
【符号の説明】
【００２０】
１  本体１
２  ランプ
３  反射部材
４  前板
５  密封リグ
６  環状帯
７  電源
８  電源回路
９  外部接続用コンセント
１０  切替スイッチ
１１  ハンドル
１２  長脚部
１３  防振キャップ
１４Ａ，１４Ｂ  ロック部材
１４Ａ’，１４Ｂ’  回動ヒンジ
１５  留め金
１６  フランジ
１７  電池蓋
１８  ベルト掛け
１９  密封キャップ
２０  充電指示ランプ
２１  ランプホルダー
２２  把持部材
２３  短脚部
２４  放熱カバー
２５  放熱孔
２６  固定部材
２７  ロック止め
２８  電球
【図１】
0003116540.tif 000003
【図２】
0003116540.tif 000004
【図３】
0003116540.tif 000005
【図４】
0003116540.tif 000006
【図５】
0003116540.tif 000007
【図６】
0003116540.tif 000008
【図７】
0003116540.tif 000009
【図８】
0003116540.tif 000010
【図９】
0003116540.tif 000011